(57)【要約】【課題】ネクタイの大剣１の表面の一部に、その大剣１の表面側に表示されている柄と別の柄ｃを、ネクタイの締結及び解き外しの際に、ネクタイに与える損傷を少なくして表示し得るようにし、さらに、その別の柄ｃを互換自在に表示し得るようにする。【解決手段】大剣１と、中継ぎ２と、小剣３とが、一本の細い幅の帯状に連続しているネクタイＡにおいて、大剣１には、該大剣１を表裏に貫通する横方向の切れ目ａ・ｂを、上下に一対に対向するよう形成し、その上下の切れ目ａ・ｂに対し挿通可能とした別切地よりなる短冊状の当て切地Ｂを形成して、マジックテープｄ・ｅにより大剣１の裏面側に着脱自在に係着し、その当て切地Ｂの前記切れ目ａ・ｂに挿通して大剣１の表面側に露出させる部位に、別の柄ｃを付設しておく。【選択図】図６
0003132733.tif 000002
【実用新案登録請求の範囲】
【請求項１】
シャツの前面側に垂れ下げる巾広の大剣（１）と、頸に巻き付け結び目を形成する中継ぎ（２）と、大剣（１）の裏面側に重合させて垂れ下げる細巾の小剣（３）とが、一本の細巾の帯状に連続してネクタイ本体を構成しているネクタイ（Ａ）において、大剣（１）には、それの表面側（１ａ）における上下の中間部位に、裏面側（１ｂ）に貫通する巾方向に沿わせた２条の切れ目（ａ）・（ｂ）を、上下に並列して一対に対向するように形設し、大剣（１）の裏面側（１ｂ）には、前記切れ目（ａ）・（ｂ）の近傍位置で、上位の切れ目（ａ）の上方位置と下位の切れ目（ｂ）の下方位置とに、マジックテープ（ｄ）を取り付け、かつ、別の切地で、上下の巾寸法が前記上下の切れ目（ａ）・（ｂ）の上下の並列巾より少し大きく左右の巾寸法が前記切れ目（ａ）・（ｂ）の巾寸法に略対応する広さの当て切地（Ｂ）を形成して、前記切れ目（ａ）・（ｂ）を形設した部位に裏面側（１ｂ）から当て、中間部位を上位の切れ目（ａ）から大剣（１）の表面側（１ａ）に挿し通した後に下位の切れ目（ｂ）から裏面側（１ｂ）に戻し、上下両端部に付設したマジックテープ（ｅ）により大剣（１）に付設のマジックテープ（ｄ）に係着して取り付け、この別生地の当て切地（Ｂ）の、大剣（１）表面側に露出する部位に、大剣（１）の表面側の柄と別の柄（ｃ）を付設しておくことを特徴とするネクタイ。
【請求項２】
ネクタイ本体と別切地で形成してネクタイ本体の大剣（１）の裏面側（１ｂ）にマジックテープ（ｄ）・（ｅ）により係着する当て切地（Ｂ）を、それの表面側に付設する柄（ｃ）がそれぞれ異にする複数に形成し、それらをマジックテープ（ｄ）・（ｅ）の係・脱により互換自在としたことを特徴とする請求項１記載のネクタイ。
【請求項３】
ネクタイ本体の大剣（１）に、上下に並列して一対に対向するように形設する切れ目（ａ）・（ｂ）を、上位の切れ目（ａ）は上向きの山形状に形成し、下位の切れ目（ｂ）は下向きの山形状に形成して、それぞれに、舌片状のガイド片（ａ’）・（ｂ’）を具備せしめたことを特徴とする請求項１記載のネクタイ。
【考案の詳細な説明】
【技術分野】
【０００１】
本考案は、布地・編物・織物により細い巾の帯状に成形してシャツのカラーの回りに巻いて前で結び垂れ下げて衿飾りとするネクタイにおいて、特に、シャツの前面に垂れ下げて飾りとして表示する大剣部の一部に、大剣部の柄・模様と異なる別の柄・模様が表示される形態としたネクタイに関する。
【背景技術】
【０００２】
シャツの衿の回りに巻いて結び前に垂れ下げて衿飾りとするネクタイＡは、通常狭い巾の帯状の布地・織物・編物により図１に示しているように、巾広の大剣１と、細巾の中継ぎ２と稍細巾の小剣３とが一本の細帯状に連続する形状に形成され、衿飾りとする表示態様は、大剣１を形成する布地に、それの生地の素材または編成・染色により付設した柄・模様によって定められ、例えば、白絹の布地を用いた慶祝の式事の際に着用するネクタイ、と黒絹の布地を用いた葬弔の式事の際に着用するネクタイ、と所望の地色の生地に、種々の絵柄・模様を付設した通常着用するネクタイと、種々の表示形態のものに作られている。
【０００３】
これらのネクタイは、生地の色・柄・模様により大剣１に付設した表示形態は、それぞれのネクタイについて固有のものであり、慶弔用に用いる白地・または黒地のネクタイ、または通常用いる種々の柄・模様のネクタイの大剣１の表面側の一部に、定紋・家紋・または、季節の花模様等の、ネクタイの大剣１に付した柄・模様と異なる別柄のものを表示したものとしたいときには、ネクタイをそのような形態のものとして、別誂で用意しておかなければならない。
【０００４】
この問題の対策として、本願の出願人は、実用新案登録願（２００６−２９５４）実用新案登録第３１２２９６３号公報に記載の手段を提起している。
【０００５】
この手段は、図２及び図３に示しているように、ネクタイＡの大剣１の表面側に、その大剣１の左右の巾方向に沿う２条の切れ目ａ・ｂを、上下に一対に対向するよう並列させ、かつ、裏面側に貫通する状態に形設しておき、また、小剣３の表側には、ネクタイＡをシャツの衿の回り巻いて結び、小剣３を大剣１の背面側に垂らした状態において、その小剣１を、前述の２条に並列する切れ目ａ・ｂのうちの上位の切れ目ａに対し大剣１の裏面側から挿通して表面側に引き出した後、下位の切れ目ｂに対し大剣１の表面側から挿通して、大剣１の背面側に戻した状態において、その小剣３の、２条に並列する切れ目ａ・ｂの間に位置して大剣１の表面側に露出してくる部位に、定紋・家紋等の別柄ｃの絵柄・模様を付設しておいて、締めたネクタイＡの大剣１の表面側の一部に、家紋・定紋等のこの別の柄ｃの絵柄・模様を表示したいときには、小剣３を、大剣１に形設しておく切れ目ａ・ｂに挿通することで、図４に示しているように、小剣３に予め付設しておいた別の柄ｃを、大剣１の表面側に露出させるようにしている手段である。
【０００６】
この手段は、ネクタイを締結するときに、小剣３を大剣１に形設した切れ目ａ・ｂに通しておくことで、大剣１の表面側の一部に、小剣３に設けておいた家紋・定紋等の別柄が、露出してきて表示されるようになり、また、小剣３を切れ目ａ・ｂに挿通しないで垂れ下げるときは、大剣１の表面側には、別柄ｃの表示がない状態となる。従って、ネクタイＡは、大剣１の表面側の一部に、家紋・定紋等の別の柄ｃが表示される状態と別の柄ｃの表示がない状態との２様に切り替えて使用できることになる。
【０００７】
しかし、この手段は、ネクタイＡの大剣１の表面側の一部に表示せしめる家紋・定紋等の別の柄ｃが、そのネクタイＡの小剣３に付設しておいた絵柄・模様のものに限られ、その小剣３に付設した家紋・定紋等の絵柄・模様とは別の絵柄・模様を表示したいときには、対応させ得ない問題がある。また、逆に、家紋・定紋付きのネクタイとした上述の慶弔用のネクタイに付設の家紋・定紋等の別の柄ｃの絵柄・模様が気に入って、これを通常の他のネクタイの大剣１の表面側の一部に表示させ度いときに、対応させ得ない問題がある。
【０００８】
さらに、この手段は、ネクタイの佩装に際し、締結するときと、取り外すときの両方の操作において、小剣を大剣に形設した切れ目に対し抜き挿しする操作が必要で、ネクタイの損傷が激しい問題と、取り外したネクタイを、ハンガーに掛けて収納しておくときに、小剣に付設した別柄が、大剣の表面側の絵柄・模様と共に、露出して、直ぐに視認できる状態としておくためには、解いた状態のネクタイの小剣を大剣に開設した切れ目に挿通させておかなければならないわずらわしい問題がある。
【特許文献１】実用新案登録第３１２２９６３号公報
【考案の開示】
【考案が解決しようとする課題】
【０００９】
本考案において解決しようとする課題は、ネクタイの大剣の表面側の一部に、その大剣の表面側に表示されている絵柄・模様と別の絵柄・模様を、ネクタイの締結及び解き外しの際に、ネクタイに与える損傷を少なくして表示し得るようにし、さらにその別の柄ｃを互換自在に表示し得るようネクタイを構成する点にある。
【課題を解決するための手段】
【００１０】
上述の課題を解決するための手段として、本考案においては、請求項１に記載したように、
シャツの前面側に垂れ下げる巾広の大剣１と、頸に巻き付け結び目を形成する中継ぎ２と、大剣１の裏面側に重合させて垂れ下げる細巾の小剣３とが、一本の細巾の帯状に連続してネクタイ本体を構成しているネクタイＡにおいて、大剣１には、それの表面側１ａにおける上下の中間部位に、裏面側１ｂに貫通する巾方向に沿わせた２条の切れ目ａ・ｂを、上下に並列して一対に対向するように形設し、大剣１の裏面側１ｂには、前記切れ目ａ・ｂの近傍位置で、上位の切れ目ａの上方位置と下位の切れ目ｂの下方位置とに、マジックテープ（登録商標）ｄを取り付け、かつ、別の切地で、上下の巾寸法が前記上下の切れ目ａ・ｂの上下の並列巾より少し大きく左右の巾寸法が前記切れ目ａ・ｂの巾寸法に略対応する広さの当て切地Ｂを形成して、前記切れ目ａ・ｂを形設した部位に裏面側１ｂから当て、中間部位を上位の切れ目ａから大剣１の表面側１ａに挿し通した後に下位の切れ目ｂから裏面側１ｂに戻し、上下両端部に付設したマジックテープｅにより大剣１に付設のマジックテープｄに係着して取り付け、この別生地の当て切地Ｂの、大剣１表面側に露出する部位に、大剣１の表面側の柄と別の柄ｃを付設しておくことを特徴とするネクタイ。
を提起するものである。
またこれに併せて、請求項２に記載したような、
ネクタイ本体と別切地で形成してネクタイ本体の大剣１の裏面側１ｂにマジックテープｄ・ｅにより係着する当て切地Ｂを、それの表面側に付設する柄ｃがそれぞれ異にする複数に形成し、それらをマジックテープｄ・ｅの係・脱により互換自在としたことを特徴とする請求項１記載のネクタイ。及び請求項３に記載したような、
ネクタイＡの大剣１に、上下に並列して一対に対向するように形設する切れ目ａ・ｂを、上位の切れ目ａは上向きの山形状に形成し、下位の切れ目ｂは下向きの山形状に形成して、それぞれに、舌片状のガイド片ａ’・ｂ’を具備せしめたことを特徴とする請求項１記載のネクタイ。
を提起するものである。
【考案の効果】
【００１１】
本考案によるネクタイＡは、別体に形成しておいた当て切地Ｂを、大剣１の背面側で、その大剣１に形設した上下に一対の切れ目ａ・ｂの部位に当て、その当て切地Ｂの下縁部を、上位の切れ目ａに挿通して大剣１の表面側に引き出し次いで下位の切れ目ｂを介し大剣１の裏面側に戻すことで、その当て切地Ｂの上下の中間部位を大剣１の表面側に露出させた状態とし、上下の両縁部に付設してあるマジックテープｅを、大剣１の裏面側に付設してあるマジックテープｄに係着すれば、大剣１の表面側の一部に、小剣３の表面側に付設した別柄の絵柄・模様が表示された状態となり、また、当て切地Ｂを、大剣１に設けた切れ目ａ・ｂに通さないで、マジックテープｄ・ｅにより大剣１の背面側に係着したときは、小剣３の背面側に付設した大剣１の表面側の絵柄・模様に対し別柄の絵柄・模様は、大剣１の表面側には表示されない状態となる。
【００１２】
この当て切地Ｂに付設した別の柄ｃは、当て切地Ｂを、切れ目ａ・ｂに通した状態としてマジックテープｄ・ｅにより係着して、大剣１の表面側に表示させたときは、ネクタイＡ佩用するとき、また、解いて外す操作を行うときの、操作に影響がなく、しかもネクタイＡを解いて外した状態においても、大剣１の表面側の一部に表示された状態に保持される。そして、別に用意しておく当て切地Ｂと交換することで、所望の絵柄・模様を表示させ得るようになる。
【考案を実施するための最良の形態】
【００１３】
次に実施の態様を実施例につき図面に従い詳述する。
【実施例１】
【００１４】
図５乃至図１０は、本考案を実施せるネクタイを示し、図５は衿飾りとして結んだ状態における正面図、図６は同上状態の側面図、図７は別切地よりなる当て切地の係着前の状態における正面図、図８は同上の別切地を係着する前の状態における正面図、図９は同上状態の背面図、図１０は要部の拡大した背面図で、これら図において、Ａはネクタイの全体、１はそのネクタイＡのネクタイ本体の大剣の部分、２は同上ネクタイ本体の中継ぎの部分、３は小剣の部分、ａ及びｂは、大剣１に上下に一対に対向させて形設した切れ目、１ａは大剣１の表面側、１ｂは大剣１の裏面側、ｄは大剣１の裏面側で、前記上下に一対に対向させて形設した切れ目ａ・ｂの、上方部位と下方部位とに付設したマジックテープ、ＢはネクタイＡの大剣１の裏面側１ｂに当てて係着するネクタイ本体とは別体の別切地よりなる当て切地、ｃはその別切地よりなる当て切地Ｂの表面側に付設した別柄、ｄ・ｅはその当て切地Ｂの上下の両縁部に取り付けたマジックテープを示す。
【００１５】
ネクタイＡは、この例においては、狭い巾の帯状に裁断した布地の両側縁を、その布地の裏面側に芯材として重合した裏地４を包み込むように裏側にそれぞれ折り返して、それら両側縁の端縁を縫い合わせることで、大剣１の部分とシャツの衿の回りに巻き付け前面側に結び目を形成する中継ぎ２の部分と、結び目から大剣１の裏面側１ｂに沿い垂れ下がる小剣３の部分とが、一本の細帯状に連続する通常のネクタイの形態に形成したネクタイ本体と、これと別体に裁断して、マジックテープｅにより前記ネクタイ主体の大剣１の裏面側１ｂに係着する別切地よりなる当て切地Ｂとからなる。
【００１６】
その別切地よりなる当て切地Ｂは、ネクタイ本体の大剣１の表面側に設けた絵柄・模様とは別の柄ｃの、捺染により付設した切地を、小切れに裁断し、袋状に折り重ねて縫合することで、大剣１に形設した上下一対の切れ目ａ・ｂの左右方向の巾に対応する幅寸法で、前記上下一対の切れ目ａ・ｂの上下の間隔幅の略２倍程度の上下の長さ寸法の短冊状に形成してあり、それの表面側の上下の両縁部には、それぞれマジックテープｅが取り付けてある。
【００１７】
ネクタイ本体の大剣１の部分に形設する切れ目ａ・ｂは、この例においては、ネクタイ本体の衿元に寄せた大剣１の上部に設けているが、大剣１の裏面側に設けられる小剣通し５を外した大剣１の剣先に寄せた下部に設けてもよく、また、上部と下部との両方に設けてもよい。
【００１８】
この上下に一対の切れ目ａ・ｂは、別切地よりなる当て切地Ｂを挿し通して、それの中間部を大剣１の表面側に表示させるためのもので、別切地よりなる当て切地Ｂの巾に対応する巾寸法で、大剣１の巾方向に沿う開裂状に形成してよいものであるが、この例においては、山形状乃至台形状に形成して、図１０にあるように、別切地よりなる当て切地Ｂを挿し通すときにそれを挿通方向にガイドする舌片状のガイド片ａ’・ｂ’を具備する形態に形成してある。
【００１９】
この切れ目ａ・ｂの上位の切れ目ａと下位の切れ目ｂとの上下の間隔は、大剣１の表面側に表示させようとする別切地による当て切地Ｂに付設した別の絵柄・模様ｃの大きさ、広さに対応させて適宜に設定する。この実施例においては、上向きの山形状に形設した上位の切れ目ａの上縁から下向きの山形に形設した下位の切れ目ｂの下縁までを略６ｃｍとし、左右の巾寸法を略３．５ｃｍとしている。
【実施例２】
【００２０】
図１１乃至図１５は、別の実施例を示している。この例は、大剣１に上下一対に対向させて形設する上位の切れ目ａと下位の切れ目ｂとを、それぞれ半円弧状に形設したことと、別切地よりなる当て切地Ｂの表面側に付設する絵柄・模様ｃの柄を、別の態様とした点において前述の実施例と差異があるだけで、その余の、ネクタイ本体の構成及び別切地よりなる当て切地Ｂの構成については、前述の実施例と変わりがなく、同様に構成してあるもので、その構成については、同じ構成部材に同じ符号を付して詳しい説明は省略する。
【図面の簡単な説明】
【００２１】
【図１】従前の通常のネクタイの正面図である。
【図２】先行技術のネクタイの正面図である。
【図３】同上のネクタイの背面図である。
【図４】同上ネクタイの結んだ状態の斜視図である。
【図５】本考案手段を実施せるネクタイの結んだ状態における前面視の斜視図である。
【図６】同上ネクタイの同上状態における一部破断した側面視の斜視図である。
【図７】同上ネクタイに係着する別切地よりなる当て切地の正面図である。
【図８】同上ネクタイのネクタイ本体の正面図である。
【図９】同上ネクタイのネクタイ本体の背面図である。
【図１０】同上ネクタイの、要部の拡大背面図である。
【図１１】同上ネクタイの別の実施例の締結した状態の斜視図である。
【図１２】同上ネクタイの結びを解いた状態の正面図である。
【図１３】同上ネクタイの同上状態の背面図である。
【図１４】同上ネクタイの当て切地の正面図である。
【図１５】同上ネクタイの締結した状態の一部破断した側面図である。
【符号の説明】
【００２２】
Ａ…ネクタイ、Ｂ…当て切地、ａ・ｂ…切れ目、ａ’・ｂ’…ガイド片、ｃ…別の柄、ｄ・ｅ…マジックテープ、１…大剣、１ａ…表面側、１ｂ…裏面側、２…中継ぎ、３…小剣、４…裏地、５…小剣通し。
【図１】
0003132733.tif 000003
【図２】
0003132733.tif 000004
【図３】
0003132733.tif 000005
【図４】
0003132733.tif 000006
【図５】
0003132733.tif 000007
【図６】
0003132733.tif 000008
【図７】
0003132733.tif 000009
【図８】
0003132733.tif 000010
【図９】
0003132733.tif 000011
【図１０】
0003132733.tif 000012
【図１１】
0003132733.tif 000013
【図１２】
0003132733.tif 000014
【図１３】
0003132733.tif 000015
【図１４】
0003132733.tif 000016
【図１５】
0003132733.tif 000017
【手続補正書】
【提出日】平成19年4月17日(2007.4.17)
【手続補正１】
【補正対象書類名】実用新案登録請求の範囲
【補正対象項目名】全文
【補正方法】変更
【補正の内容】
【実用新案登録請求の範囲】
【請求項１】
シャツの前面側に垂れ下げる巾広の大剣（１）と、頸に巻き付け結び目を形成する中継ぎ（２）と、大剣（１）の裏面側に重合させて垂れ下げる細巾の小剣（３）とが、一本の細巾の帯状に連続してネクタイ本体を構成しているネクタイ（Ａ）において、大剣（１）には、それの表面側（１ａ）における上下の中間部位に、裏面側（１ｂ）に貫通する巾方向に沿わせた２条の切れ目（ａ）・（ｂ）を、上下に並列して一対に対向するように形設し、大剣（１）の裏面側（１ｂ）には、前記切れ目（ａ）・（ｂ）の近傍位置で、上位の切れ目（ａ）の上方位置と下位の切れ目（ｂ）の下方位置とに、マジックテープ（登録商標）（ｄ）を取り付け、かつ、別の切地で、上下の巾寸法が前記上下の切れ目（ａ）・（ｂ）の上下の並列巾より少し大きく左右の巾寸法が前記切れ目（ａ）・（ｂ）の巾寸法に略対応する広さの当て切地（Ｂ）を形成して、前記切れ目（ａ）・（ｂ）を形設した部位に裏面側（１ｂ）から当て、中間部位を上位の切れ目（ａ）から大剣（１）の表面側（１ａ）に挿し通した後に下位の切れ目（ｂ）から裏面側（１ｂ）に戻し、上下両端部に付設したマジックテープ（登録商標）（ｅ）により大剣（１）に付設のマジックテープ（登録商標）（ｄ）に係着して取り付け、この別生地の当て切地（Ｂ）の、大剣（１）表面側に露出する部位に、大剣（１）の表面側の柄と別の柄（ｃ）を付設しておくことを特徴とするネクタイ。
【請求項２】
ネクタイ本体と別切地で形成してネクタイ本体の大剣（１）の裏面側（１ｂ）にマジックテープ（登録商標）（ｄ）・（ｅ）により係着する当て切地（Ｂ）を、それの表面側に付設する柄（ｃ）がそれぞれ異にする複数に形成し、それらをマジックテープ（登録商標）（ｄ）・（ｅ）の係・脱により互換自在としたことを特徴とする請求項１記載のネクタイ。
【請求項３】
ネクタイ本体の大剣（１）に、上下に並列して一対に対向するように形設する切れ目（ａ）・（ｂ）を、上位の切れ目（ａ）は上向きの山形状に形成し、下位の切れ目（ｂ）は下向きの山形状に形成して、それぞれに、舌片状のガイド片（ａ’）・（ｂ’）を具備せしめたことを特徴とする請求項１記載のネクタイ。